(57)【特許請求の範囲】
【請求項１】
耳孔内体温を測定するための耳孔内体温測定手段と、耳孔内に挿入し人体が放射する赤外線を前記耳孔内体温測定手段に案内する取り替え可能な複数のプローブと、プローブ適合度決定手段と、報知手段とを備え、前記プローブ適合度決定手段は、前記複数のプローブについて所定測定回数の耳孔内体温値の最高値または平均値を他のプローブのものと比較する耳孔内体温値比較手段と、前記複数のプローブについて所定測定回数の耳孔内体温値のばらつきを判定する耳孔内体温値ばらつき判定手段から成り、少なくとも耳孔内体温値比較手段と耳孔内体温値ばらつき判定手段での判定結果からプローブの適合度を決定して報知する耳式体温計。
【請求項２】
プローブ適合度決定手段は、前記複数のプローブを前記耳孔内体温測定手段に取り付けた時に自動的に識別するプローブ識別手段を備え、プローブ適合度決定手段は、前記プローブ識別手段が自動識別したプローブを対象にプローブの適合度を報知する請求項１に記載した耳式体温計。
【請求項３】
室温を測定するための室温測定手段と、室温記憶手段を備え、前記室温測定手段は前記耳孔内体温測定手段での測定時の温度を室温記憶手段に記憶して初めて室温が所定値未満になった時に、前記プローブ適合度決定手段を用いてプローブ適合度を再決定することを促す報知を行う請求項１または２に記載した耳式体温計。
【請求項４】
計時手段を備え、前記計時手段は、前記プローブ適合度決定手段がプローブの適合度を決定して報知してからの時間を計時して所定時間経過した時に、前記プローブ適合度決定手段を用いてプローブ適合度を再決定することを促す報知を行う請求項１から３のいずれか１項に記載した耳式体温計。
【請求項５】
個人切り換え手段と、適合度記憶手段を備え、前記プローブ適合度決定手段は、前記個人切り換え手段を切り換えることにより各個人について決定し報知した最新のプローブの適合度を報知する請求項１から４のいずれか１項に記載した耳式体温計。
【請求項６】
生理開始日入力手段を備え、前記生理開始日入力手段は、生理開始日入力があった時に、前記プローブ適合度決定手段を用いてプローブ適合度を再決定することを促す報知を行う請求項１から４のいずれか１項に記載した耳式体温計。
【発明の詳細な説明】
【０００１】
【発明の属する技術分野】
本発明は、鼓膜温度を非接触で測定できる耳式体温計に関するものである。
【０００２】
【従来の技術】
本来、耳式体温計は、体温中枢である視床下部と血流を共有していて人体の深部体温を良く反映していると言われている鼓膜の温度を、その放射される赤外線を検出することによって瞬時に測定するものである。従来の耳式体温計は、プローブと呼ばれる部分を耳孔内に挿入し放射される赤外線を赤外線センサで検出して約１秒で測定完了するもので、外耳道の年齢差（大人と子供）や個人差に合わせて耳孔内に挿入し人体が放射する赤外線を計測部に案内する取り替え可能なプローブを複数用意しているものもある。
【０００３】
【発明が解決しようとする課題】
鼓膜温は、正しく測定できれば、測定の際外気に直にさらされる舌下や腋下よりもより真の体温を反映するものである。ところが、人体の外耳道は非常に個体差があり、細かったり曲がっていたりして、耳式体温計のプローブが適合していない場合は、プローブを単純に耳孔内に挿入しただけでは、鼓膜が非常に見えにくい。鼓膜が見えにくいと、本来鼓膜温度を測定すべきところが、外耳道の温度を測定してしまい鼓膜温度より低い温度をひろい正しい測定ができなかった。外耳道を見ている場合は、室温が低いと外気に冷やされたり、差し込んだ冷えたプローブに冷やされてしまい、その結果として室温によって測定温度が影響を受けて低かったり、測定の再現性が悪かった。従来の耳式体温計は、単にプローブを複数用意しているだけで、使用者が自分でどれが最適かフィット感等で選択するだけであった。このため、使用者が選択したプローブで本当に正しく鼓膜温度が測定できているかどうかわからなかった。
【０００４】
【課題を解決するための手段】
耳孔内体温を測定するための耳孔内体温測定手段と、耳孔内に挿入し人体が放射する赤外線を前記耳孔内体温測定手段に案内する取り替え可能な複数のプローブと、プローブ適合度決定手段と、報知手段とを備え、前記プローブ適合度決定手段は、前記複数のプローブについて所定測定回数の耳孔内体温値の最高値または平均値を他のプローブのものと比較する耳孔内体温値比較手段と、前記複数のプローブについて所定測定回数の耳孔内体温値のばらつきを判定する耳孔内体温値ばらつき判定手段から成り、少なくとも耳孔内体温値比較手段と耳孔内体温値ばらつき判定手段での判定結果からプローブの適合度を決定して報知するようにして、外耳道の個人差に対応して鼓膜温度を正しく測定できるプローブを使用者が容易に選択することができる耳式体温計としている。
【０００５】
【発明の実施の形態】
請求項１に記載した発明は、耳孔内体温を測定するための耳孔内体温測定手段と、耳孔内に挿入し人体が放射する赤外線を前記耳孔内体温測定手段に案内する取り替え可能な複数のプローブと、プローブ適合度決定手段と、報知手段とを備え、前記プローブ適合度決定手段は、前記複数のプローブについて所定測定回数の耳孔内体温値の最高値または平均値を他のプローブのものと比較する耳孔内体温値比較手段と、前記複数のプローブについて所定測定回数の耳孔内体温値のばらつきを判定する耳孔内体温値ばらつき判定手段から成り、少なくとも耳孔内体温値比較手段と耳孔内体温値ばらつき判定手段での判定結果からプローブの適合度を決定して報知するようにして、外耳道の個人差に対応して鼓膜温度を正しく測定できるプローブを使用者が容易に選択することができる耳式体温計としている。
【０００６】
請求項２に記載した発明は、前記プローブ適合度決定手段は、前記複数のプローブを前記耳孔内体温測定手段に取り付けた時に自動的に識別するプローブ識別手段を備え、プローブ適合度決定手段は、前記プローブ識別手段が自動識別したプローブを対象にプローブの適合度を報知するようにして、使用者が最適プローブをさらに容易に選択できる耳式体温計としている。
【０００７】
請求項３に記載した発明は、室温を測定するための室温測定手段と、室温記憶手段を備え、前記室温測定手段は前記耳孔内体温測定手段での測定時の温度を室温記憶手段に記憶して初めて室温が所定値未満になった時に、前記プローブ適合度決定手段を用いてプローブ適合度を再決定することを促す報知を行うようにして、室温が低温の場合でも鼓膜温度をより正しく測定できる最適プローブを容易に選択できる耳式体温計としている。
【０００８】
請求項４に記載した発明は、計時手段を備え、前記計時手段は、前記プローブ適合度決定手段がプローブの適合度を決定して報知してからの時間を計時して所定時間経過した時に、前記プローブ適合度決定手段を用いてプローブ適合度を再決定することを促す報知を行うようにして、外耳道の年齢変化にも対応して鼓膜温度をより正しく測定できる最適プローブを容易に選択できる耳式体温計としている。
【０００９】
請求項５に記載した発明は、個人切り換え手段と、適合度記憶手段を備え、前記プローブ適合度決定手段は、前記個人切り換え手段を切り換えることにより各個人について決定し報知した最新のプローブの適合度を報知するようにして、使用者は個人切り換え手段を自分の位置に合わせておきさえすれば、自分のプローブ適合度がすぐわかり、１つの体温計を家族で使う場合にも対応して鼓膜温度をより正しく測定できる最適プローブの選択が容易にできる耳式体温計としている。
【００１０】
請求項６に記載した発明は、生理開始日入力手段を備え、前記生理開始日入力手段は、生理開始日入力があった時に、前記プローブ適合度決定手段を用いてプローブ適合度を再決定することを促す報知を行うようにして、婦人の基礎体温計測が各生理周期で安定して正しく測定できる最適プローブを容易に選択できる耳式体温計としている。
【００１１】
【実施例】
（実施例１）
以下本発明の第１の実施例について説明する。図１は本実施例の構成を示すブロック図、図２は本実施例の動作を示すフローチャートである。
【００１２】
まず、本実施例の耳式体温計の構成について図１を用いて説明する。本体１は、耳孔内に挿入することによって人体が放射する赤外線を本体１に案内するプローブ２と、プローブ２によって案内された赤外線量をもとに耳孔内温度を測定する耳孔内体温測定手段３と、プローブ適合度決定手段４と、報知手段５を備えている。耳孔内体温測定手段３は、赤外線センサ６と、赤外線センサ６の受光窓を開閉する遮蔽板７と、遮蔽板７を駆動する遮蔽板駆動手段８と、赤外線センサ素子温度検出手段９と、赤外線センサ６の信号と赤外線センサ素子温度検出手段９での検出温度から耳孔内温度を演算するための耳孔内体温演算手段１０と、測定スイッチ１１から構成される。赤外線センサ６は常に赤外線を受光している状態であると出力がなくなってしまうため、周期的に遮蔽と開口を繰り返すことで出力を得るものである。また、プローブ適合度決定手段４は、モード切り換えスイッチ１２と、耳孔内体温値比較手段１３と、耳孔内体温値１４から構成される。報知手段６は、液晶表示部とブザー音吹鳴部から構成される。
【００１３】
以下、本実施例の動作について図１及び図２を用いて説明する。プローブ適合度決定手段４は、モード切り換えスイッチ１２がプローブ選択モード側か否かをチェックし、プローブ選択モード側であればプローブ２の適合度を決定して報知する動作を開始する（ステップ１）。即ち、まずプローブ適合度決定手段４は、プローブ適合度を決定して報知するために、使用者に本体１に装着してもらうプローブ２の番号と使用者にそのプローブ２について測定してもらう測定回数を報知手段５を構成する液晶表示部に表示する（ステップ２、ステップ３）。本実施例では、予め５つのプローブの各々にプローブ番号が刻印して使用者が区別できるようにしており、測定回数は各プローブにつき５回としている。次に、プローブ適合度決定手段４は、測定スイッチ１１が押されると、耳孔内体温を測定し測定値を表示する（ステップ４、ステップ５）。
【００１４】
即ち、使用者が、プローブ２を耳孔内に挿入し、測定スイッチ１１を押すと、遮蔽板駆動手段８が遮蔽板７を駆動して赤外線センサ６の受光窓を開閉する。プローブ２によって案内された耳孔内より放射された赤外線量は、この遮蔽板７の開閉によって赤外線センサ６によって検出される。赤外線センサ６の出力は、赤外線センサ素子そのものの温度によって出力量が規制されるものであるため、耳孔内体温演算手段１０は、赤外線センサ６の出力量と赤外線センサ素子温度検出手段９で検出した赤外線センサ素子温度とから耳孔内温度を演算する。耳孔内体温の測定が終了すると、遮蔽板駆動手段８は遮蔽板７を閉状態にしてから動作を停止し、報知手段６を構成するブザー音吹鳴部でピッ音を吹鳴して液晶表示部に耳孔内体温を表示する。この各１回の測定値は、測定時間内のピークホールドした最高値を採用する。
【００１５】
次に、プローブ適合度決定手段４は、５つプローブ全てについて測定回数が５回になるまで耳孔内体温の測定を繰り返し（ステップ６〜ステップ９）、それが終了したならば５つのプローブ各々について５回の測定値の平均値と５回内での最高値−最低値（以降、幅と呼ぶ）を計算する（ステップ１０）。計算の結果、プローブ適合度決定手段４を構成する耳孔内体温値比較手段１３は、まず５つのプローブについて５回平均値を比較し、最も高い値のプローブを選別し、プローブ適合度決定手段４を構成する耳孔内体温値ばらつき判定手段１４は、耳孔内体温値比較手段１３が選別したプローブについて５回の測定値の幅が０．２℃以内かどうかチェックする（ステップ１１）。この結果、平均値が最高のプローブの５回の測定値の幅が０．２℃以内であれば、プローブ適合度決定手段４は、このプローブを最適なプローブと決定して報知手段６を構成するブザー音吹鳴部でピピピピピ音を吹鳴して液晶表示部にプローブ番号を表示し、その後平均値最高のプローブ番号から順にプローブ番号、平均値、幅を表示する（ステップ１２、ステップ１３）。平均値が最高のプローブが複数ある場合は、最も５回の測定値の幅が小さいものを最適とする。もし、平均値が最高のプローブの５回の測定値の幅が０．２℃より大きい場合は、報知手段６を構成するブザー音吹鳴部でピピピピピ音を吹鳴して液晶表示部に平均値最高のプローブ番号から順にプローブ番号、平均値、幅を表示する（ステップ１３）。
【００１６】
以降使用者は、報知された最適なプローブ番号のプローブを本体１に装着してモード切り換えスイッチを通常測定側に切り換えて耳孔内体温の測定を行う（ステップ１５、ステップ１６）。最適なプローブ番号が報知されなかった場合は、最適プローブ番号が報知されるまで再度上記の作業を行うか、平均値最高のプローブ番号から順に報知されたプローブ番号、平均値、幅を参考に１位のものを選択しても良い。もし、最適なプローブ番号が報知されたが、そのプローブが耳に合わなくて痛い等の自覚症状がある場合は、平均値最高のプローブ番号から順に報知されたプローブ番号、平均値、幅を参考に痛くないもので順位の高いものを選択すると良い。
【００１７】
なお本実施例では、プローブを５つ準備してその全てを順次チェックするようにしたが、プローブはいくつ準備してもかまわないし、全てをチェックせずにそのうちのいくつかを使用者が指定できるようにしてもかまわない。また、各プローブについての測定回数も５回としているが任意の回数として良い。さらに、プローブの適合度を決定するための耳孔内体温値比較手段１３は各プローブについて５回平均値を比較するようにしたが、各プローブについての５回測定中の最高値を比較するようにしても良い。また、耳孔内体温値ばらつき判定手段１４は、５回の測定値の幅をチェックするようにしたが、５回の標準偏差等をチェックしてもかまわない。さらに、モード切り換えスイッチ１２の状態が変化した時、即ち他の側に切り換えられた時に最初に既に報知した適合度を報知するようにしても良いし、別途スイッチを設けてそのスイッチが押された時に既に報知した適合度を報知するようにしてもかまわない。また、報知をブザーと液晶表示部での表示としたが、音声で報知してもかまわない。
【００１８】
以上のように本実施例によれば、外耳道の個人差に対応して鼓膜温度を正しく測定できるプローブを使用者が容易に選択することができる耳耳式体温計を実現するものである。
【００１９】
（実施例２）
次に本発明の第２の実施例について説明する。図３は本実施例の構成を示すブロック図である。本実施例では、実施例１の構成に加えて、プローブ識別手段１５を有しているものである。プローブ識別手段１５は、プローブ２の本体１への嵌合位置によってプローブを自動的に識別し、プローブ適合度決定手段４へその情報を伝達するものである。
【００２０】
以下、本実施例の動作について説明する。プローブ適合度決定手段４は、モード切り換えスイッチ１２がプローブ選択モード側か否かをチェックし、プローブ選択モード側であればプローブ２の適合度を決定して報知する動作を開始する。即ち、まずプローブ適合度決定手段４は、プローブ識別手段１５から装着されているプローブの情報を入力し、報知手段５を構成する液晶表示部に装着されているプローブ番号とそのプローブについて測定してもらう測定回数を表示する。もし、どのプローブも装着されていなければ、いずれかのプローブを装着するように指示する表示を行う。本実施例では、予め５つのプローブの各々にプローブ番号が刻印して使用者が区別できるようにしており、測定回数は各プローブにつき５回としている。次に、プローブ適合度決定手段４は、測定スイッチ１１が押されると、耳孔内体温を測定し測定値を表示する。即ち、使用者が、プローブ２を耳孔内に挿入し、測定スイッチ１１を押すと、遮蔽板駆動手段８が遮蔽板７を駆動して赤外線センサ６の受光窓を開閉する。プローブ２によって案内された耳孔内より放射された赤外線量は、この遮蔽板７の開閉によって赤外線センサ６によって検出される。赤外線センサ６の出力は、赤外線センサ素子そのものの温度によって出力量が規制されるものであるため、耳孔内体温演算手段１０は、赤外線センサ６の出力量と赤外線センサ素子温度検出手段９で検出した赤外線センサ素子温度とから耳孔内温度を演算する。耳孔内体温の測定が終了すると、遮蔽板駆動手段８は遮蔽板７を閉状態にしてから動作を停止し、報知手段６を構成するブザー音吹鳴部でピッ音を吹鳴して液晶表示部に耳孔内体温を表示する。この各１回の測定値は、測定時間内のピークホールドした最高値を採用する。
【００２１】
次に、プローブ適合度決定手段４は、そのプローブについて測定回数が５回になるまで耳孔内体温の測定を繰り返し、それが終了したならば別のプローブを装着するように指示する表示を行う。別のプローブが装着されたならば、前のプローブについてと同様の動作を行う。次に、プローブ適合度決定手段４は、別のプローブを装着するように指示する表示を行う。
【００２２】
所定時間以内にさらに別のプローブが装着されなかった場合は、既に装着されたプローブの種類が２つ以上ある場合に、それらのプローブ各々について５回の測定値の平均値と５回内での幅を計算する。計算の結果、プローブ適合度決定手段４を構成する耳孔内体温値比較手段１３は、まず既に装着された各々のプローブについて５回平均値を比較し、最も高い値のプローブを選別し、プローブ適合度決定手段４を構成する耳孔内体温値ばらつき判定手段１４は、耳孔内体温値比較手段１３が選別したプローブについて５回の測定値の幅が０．２℃以内かどうかチェックする。この結果、平均値が最高のプローブの５回の測定値の幅が０．２℃以内であれば、プローブ適合度決定手段４は、このプローブを最適なプローブと決定して報知手段６を構成するブザー音吹鳴部でピピピピピ音を吹鳴して液晶表示部にプローブ番号を表示し、その後平均値最高のプローブ番号から順にプローブ番号、平均値、幅を表示する。平均値が最高のプローブが複数ある場合は、最も５回の測定値の幅が小さいものを最適とする。もし、平均値が最高のプローブの５回の測定値の幅が０．２℃より大きい場合は、報知手段６を構成するブザー音吹鳴部でピピピピピ音を吹鳴して液晶表示部に平均値最高のプローブ番号から順にプローブ番号、平均値、幅を表示する。
【００２３】
以降使用者は、報知された最適なプローブ番号のプローブを本体１に装着してモード切り換えスイッチを通常測定側に切り換えて耳孔内体温の測定を行う。最適なプローブ番号が報知されなかった場合は、最適プローブ番号が報知されるまで再度上記の作業を行うか、平均値最高のプローブ番号から順に報知されたプローブ番号、平均値、幅を参考に１位のものを選択しても良い。もし、最適なプローブ番号が報知されたが、そのプローブが耳に合わなくて痛い等の自覚症状がある場合は、平均値最高のプローブ番号から順に報知されたプローブ番号、平均値、幅を参考に痛くないもので順位の高いものを選択すると良い。
【００２４】
プローブの適合度を報知した後で、別のプローブが装着された場合は、既に装着されたプローブの平均値と幅をもとに今回装着されたプローブの平均値と幅から適合度を再報知する。
【００２５】
なお本実施例では、適合度の報知を行うタイミングを所定時間以内にさらに別のプローブが装着されないで、かつ既に装着されたプローブの種類が２つ以上ある場合としたが、既に装着されたプローブの種類は任意の数以上として良いし、スイッチを設けて使用者がそのスイッチを押した時としても良いものである。また、報知された最適なプローブ番号のプローブ以外のプローブを本体１に装着してモード切り換えスイッチを通常測定側に切り換えて耳孔内体温の測定を行った場合に注意報知を行うようにしてもかまわない。
【００２６】
以上のように本実施例によれば、使用者が最適プローブをさらに容易に選択できる耳式体温計を実現するものである。
【００２７】
（実施例３）
続いて本発明の第３の実施例について説明する。図４は本実施例の構成を示すブロック図である。本実施例では、実施例２の構成に加えて、室温記憶手段１６を有しているものである。また、赤外線センサ素子温度検出手段９は、赤外線センサ７の素子そのものの温度を検出するもので、測定時に使用者が持った手の温度の影響を受けにくい場所に配置して室温測定手段を兼ねるものである。
【００２８】
以下、本実施例の動作について説明する。プローブ適合度決定手段４は、モード切り換えスイッチ１２がプローブ選択モード側か否かをチェックし、プローブ選択モード側であれば本実施例２と同様にプローブの適合度を決定して報知する動作を行う。次に、赤外線センサ素子温度検出手段９は、モード切り換えスイッチ１２が通常測定側であれば、室温を入力する。入力した室温は、既に記憶している室温と比較して現在の室温の方が低い時のみ、新たに室温記憶手段１６に記憶し、かつ所定値と比較する。本実施例では比較する所定値は１５℃としている。赤外線センサ素子温度検出手段９は、比較の結果が室温が初めて１５℃未満になった時に、ブザー吹鳴部でピピッピピッピピッピピッ音を吹鳴して液晶表示部にプローブ適合度を再決定することを促す表示、即ちモード切り換えスイッチ１２をプローブ選択モード側にする様に指示する表示を行う。１度も適合度の報知を行っていない場合は、モード切り換えスイッチ１２が通常測定側であれば即ブザー吹鳴部でピピッピピッピピッピピッ音を吹鳴して液晶表示部にプローブ適合度を再決定することを促す表示を行う。
【００２９】
使用者は、この指示に従い、モード切り換えスイッチ１２をプローブ選択モード側にしてプローブの適合度を報知させ、この新たな適合度決定に従ってプローブ装着を行い、モード切り換えスイッチ１２を通常測定側にして以降の耳孔内体温の測定を行う。
【００３０】
なお本実施例では、赤外線センサ素子温度検出手段を室温測定手段と兼用したが、別途室温測定手段を設けてもかまわない。また、室温測定手段を兼用する赤外線センサ素子温度検出手段は、モード切り換えスイッチが通常測定側であれば室温を入力ようにしたが、、モード切り換えスイッチの状態にかかわらず入力してブザーだけで報知しても良いし、電源スイッチを設けて電源スイッチがＯＦＦからＯＮになった時だけとしても良い。
【００３１】
以上のように本実施例によれば、室温が低温の場合でも鼓膜温度をより正しく測定できる最適プローブを容易に選択できる耳式体温計を実現するものである。
【００３２】
（実施例４）
続いて本発明の第４の実施例について説明する。図５は本実施例の構成を示すブロック図である。本実施例では、実施例３の構成に加えて、計時手段１７を有しているものである。
【００３３】
以下、本実施例の動作について説明する。プローブ適合度決定手段４は、モード切り換えスイッチ１２がプローブ選択モード側か否かをチェックし、プローブ選択モード側であれば本実施例２と同様にプローブの適合度を決定して報知する動作を行う。この時、計時手段１７は、報知が行われた時点で計時をリセットし計時を開始する。計時手段１７は、計時を開始してから１年間が経過した時点で、ブザー吹鳴部でピピッピピッピピッピピッ音を吹鳴して液晶表示部にプローブ適合度を再決定することを促す表示、即ちモード切り換えスイッチ１２をプローブ選択モード側にする様に指示する表示を行う。１度も適合度の報知を行っていない場合は、モード切り換えスイッチ１２が通常測定側であれば即ブザー吹鳴部でピピッピピッピピッピピッ音を吹鳴して液晶表示部にプローブ適合度を再決定することを促す表示を行う。
【００３４】
使用者は、この指示に従い、モード切り換えスイッチ１２をプローブ選択モード側にしてプローブの適合度を報知させ、この新たな適合度決定に従ってプローブ装着を行い、モード切り換えスイッチ１２を通常測定側にして以降の耳孔内体温の測定を行う。
【００３５】
なお本実施例では、報知してからの経過時間を１年間としたが外耳道の年齢変化に対応できる任意の時間として良いものである。
【００３６】
以上のように本実施例によれば、外耳道の年齢変化にも対応して鼓膜温度をより正しく測定できる最適プローブを容易に選択できる耳式体温計を実現するものである。
【００３７】
（実施例５）
続いて本発明の第５の実施例について説明する。図６は本実施例の構成を示すブロック図である。本実施例では、実施例４の構成に加えて、個人切り換え手段１８と適合度記憶手段１９を有しているものである。個人切り換え手段１８は、本実施例ではＡ、Ｂ、Ｃ、Ｄ、Ｅの５つに切り換え可能としている。
【００３８】
以下、本実施例の動作について説明する。使用者は、まず個人切り換え手段１８を自分の位置（例えばＡ）に合わせておく。プローブ適合度決定手段４が、プローブの適合度を決定して報知するまでの動作は、実施例４と同様である。プローブ適合度決定手段４は、この報知した内容を個人切り換え手段１８の位置に応じて適合度記憶手段１９に記憶する。即ち、この報知した内容をＡの適合度として適合度記憶手段１９に記憶する。
【００３９】
モード切り換えスイッチ１２が他の側に切り換えられた時、または個人切り換え手段１８が他の位置に切り換えられた時に、その時点の個人切り換え手段１８の状態に応じてその個人について適合度記憶手段１９に記憶している適合度を報知する。
【００４０】
なお本実施例では、個人切り換え手段の切り換え数をＡ、Ｂ、Ｃ、Ｄ、Ｅの５つとしたが任意の数として良い。
【００４１】
以上のように本実施例によれば、使用者は個人切り換え手段を自分の位置に合わせておきさえすれば、自分のプローブ適合度がすぐわかり、１つの体温計を家族で使う場合にも対応して鼓膜温度をより正しく測定できる最適プローブの選択が容易にできる耳式体温計を実現するものである。
【００４２】
（実施例６）
続いて本発明の第５の実施例について説明する。図７は本実施例の構成を示すブロック図である。本実施例では、実施例２の構成に加えて、生理開始日入力手段２０を有しているものである。
【００４３】
以下、本実施例の動作について説明する。
【００４４】
プローブ適合度決定手段４が、プローブの適合度を決定して報知するまでの動作は、実施例１と同様である。使用者は、生理開始日に生理開始日入力手段２０であるスイッチを押す。生理開始日入力手段２０のスイッチが押されると、プローブ適合度決定手段４は、ブザー吹鳴部でピピッピピッピピッピピッ音を吹鳴して液晶表示部にプローブ適合度を再決定することを促す表示、即ちモード切り換えスイッチ１２をプローブ選択モード側にする様に指示する表示を行う。１度も適合度の報知を行っていない場合は、モード切り換えスイッチ１２が通常測定側であれば即ブザー吹鳴部でピピッピピッピピッピピッ音を吹鳴して液晶表示部にプローブ適合度を再決定することを促す表示を行う。
【００４５】
使用者は、この指示に従い、モード切り換えスイッチ１２をプローブ選択モード側にしてプローブの適合度を報知させ、この新たな適合度決定に従ってプローブ装着を行い、モード切り換えスイッチ１２を通常測定側にして以降の耳孔内体温の測定を行う。
【００４６】
以上のように本実施例によれば、室温が耳孔内体温の変化に及ぼす影響は１生理周期内で小さいので、生理開始日毎、即ち各生理周期初日に報知したプローブの適合度に従いプローブ装着を行うことによって、婦人の基礎体温計測が各生理周期で安定して正しく測定できる最適プローブを容易に選択できる耳式体温計を実現するものである。
【００４７】
【発明の効果】
請求項１に記載した発明は、耳孔内体温を測定するための耳孔内体温測定手段と、耳孔内に挿入し人体が放射する赤外線を前記耳孔内体温測定手段に案内する取り替え可能な複数のプローブと、プローブ適合度決定手段と、報知手段とを備え、前記プローブ適合度決定手段は、前記複数のプローブについて所定測定回数の耳孔内体温値の最高値または平均値を他のプローブのものと比較する耳孔内体温値比較手段と、前記複数のプローブについて所定測定回数の耳孔内体温値のばらつきを判定する耳孔内体温値ばらつき判定手段から成り、少なくとも耳孔内体温値比較手段と耳孔内体温値ばらつき判定手段での判定結果からプローブの適合度を決定して報知する構成として、外耳道の個人差に対応して鼓膜温度を正しく測定できるプローブを使用者が容易に選択することができる耳式体温計を実現するものである。
【００４８】
請求項２に記載した発明は、前記プローブ適合度決定手段は、前記複数のプローブを前記耳孔内体温測定手段に取り付けた時に自動的に識別するプローブ識別手段を備え、プローブ適合度決定手段は、前記プローブ識別手段が自動識別したプローブを対象にプローブの適合度を報知する構成として、使用者が最適プローブをさらに容易に選択できる耳式体温計を実現するものである。
【００４９】
請求項３に記載した発明は、室温を測定するための室温測定手段と、室温記憶手段を備え、前記室温測定手段は前記耳孔内体温測定手段での測定時の温度を室温記憶手段に記憶して初めて室温が所定値未満になった時に、前記プローブ適合度決定手段を用いてプローブ適合度を再決定することを促す報知を行う構成として、室温が低温の場合でも鼓膜温度をより正しく測定できる最適プローブを容易に選択できる耳式体温計を実現するものである。
【００５０】
請求項４に記載した発明は、計時手段を備え、前記計時手段は、前記プローブ適合度決定手段がプローブの適合度を決定して報知してからの時間を計時して所定時間経過した時に、前記プローブ適合度決定手段を用いてプローブ適合度を再決定することを促す報知を行う構成として、外耳道の年齢変化にも対応して鼓膜温度をより正しく測定できる最適プローブを容易に選択できる耳式体温計を実現するものである。
【００５１】
請求項５に記載した発明は、個人切り換え手段と、適合度記憶手段を備え、前記プローブ適合度決定手段は、前記個人切り換え手段を切り換えることにより各個人について決定し報知した最新のプローブの適合度を報知する構成として、使用者は個人切り換え手段を自分の位置に合わせておきさえすれば、自分のプローブ適合度がすぐわかり、１つの体温計を家族で使う場合にも対応して鼓膜温度をより正しく測定できる最適プローブの選択が容易にできる耳式体温計を実現するものである。
【００５２】
請求項６に記載した発明は、生理開始日入力手段を備え、前記生理開始日入力手段は、生理開始日入力があった時に、前記プローブ適合度決定手段を用いてプローブ適合度を再決定することを促す報知を行う構成として、婦人の基礎体温計測が各生理周期で安定して正しく測定できる最適プローブを容易に選択できる耳式体温計を実現するものである。
【図面の簡単な説明】
【図１】本発明の第１の実施例である耳式体温計の構成を示すブロック図
【図２】同、第１の実施例である耳式体温計の動作を示すフローチャート
【図３】同、第２の実施例である耳式体温計の構成を示すブロック図
【図４】同、第３の実施例である耳式体温計の構成を示すブロック図
【図５】同、第４の実施例である耳式体温計の構成を示すブロック図
【図６】同、第５の実施例である耳式体温計の構成を示すブロック図
【図７】同、第６の実施例である耳式体温計の構成を示すブロック図
【符号の説明】
１  本体
２  プローブ
３  耳孔内体温測定手段
４  プローブ適合度決定手段
５  報知手段
６  赤外線センサ
７  遮蔽板
８  遮蔽板駆動手段
９  赤外線センサ素子温度検出手段
１０  耳孔内体温演算手段
１１  測定スイッチ
１２  モード切り換えスイッチ
１３  耳孔内体温値比較手段
１４  耳孔内体温値ばらつき判定手段
１５  プローブ識別手段
１６  室温記憶手段
１７  計時手段
１８  個人切り換え手段
１９  適合度記憶手段
２０  生理開始日入力手段
【図１】
0004126808.tif 000002
【図２】
0004126808.tif 000003
【図３】
0004126808.tif 000004
【図４】
0004126808.tif 000005
【図５】
0004126808.tif 000006
【図６】
0004126808.tif 000007
【図７】
0004126808.tif 000008